(57)【要約】【課題】冷蔵室の後部に仕切部体で覆われて設けられたファン装置を、製氷機や区分部等を取外すことなく、取外すことができるようにする。【解決手段】エバカバー組立２６の前板３１において、区分壁１５及び製氷機１６等の冷蔵庫構成部品の後方に位置する部分を左前板３１ａとし、冷蔵庫構成部品と対向しない他方の部分を右前板３１ｂとして分離可能にし、冷蔵庫本体２の前方において区分板１４をエバカバー組立２６と離間して設けた。これにより、冷蔵庫構成部品を取外すことなく、右前板３１ｂをエバカバー組立２６から外して冷凍室７側から取外すことで、冷凍用ファン２７を露出させることが可能となった。【選択図】図６
2011158131.tif 000002
【特許請求の範囲】
【請求項１】
複数の隣接する貯蔵室と、
前記貯蔵室の後方に位置する風路と、
前記貯蔵室と前記風路を仕切る仕切部体とを有し、
前記仕切部体は、少なくとも第１の仕切部と第２の仕切部とが分離可能に構成され、
前記複数の隣接する貯蔵室のうち一方の貯蔵室には、前記第１の仕切部の前方に位置して、該第１の仕切部の前方への移動を不可とする冷蔵庫構成部品が配設され、
前記第２の仕切部の後方には、前記風路に風を流すファン装置が配設され、
前記第２の仕切部は、前記冷蔵庫構成部品と対向しない位置で前記第１の仕切部と分離可能に配置されるとともに、他方の貯蔵室から取外し可能であることを特徴とする冷蔵庫。
【請求項２】
前記複数の隣接する貯蔵室は、それぞれを区分けする第１の区分部を有し、
前記第１の区分部は、前記仕切部体から離間していることを特徴とする請求項１記載の冷蔵庫。
【請求項３】
前記冷蔵庫構成部品は、製氷手段を含んで構成されていることを特徴とする請求項１又は２記載の冷蔵庫。
【請求項４】
前記冷蔵庫構成部品は、前記一方の貯蔵室の後方まで延出して配置され、該一方の貯蔵室を複数の空間に区分けする第２の区分部を含んで構成されていることを特徴とする請求項１から３のいずれか一項記載の冷蔵庫。
【請求項５】
前記一方の貯蔵室と他方の貯蔵室は上下方向に隣接して配置され、
前記第２の区分部は、前記一方の貯蔵室を左右に区分けすることを特徴とする請求項４記載の冷蔵庫。
【請求項６】
前記仕切部体は、前記風路に配置される冷却器を覆うとともに、前記一方の貯蔵室と他方の貯蔵室とにまたがって配置されることを特徴とする請求項５記載の冷蔵庫。
【請求項７】
前記仕切部体は、前記ファン装置を備える後板と、
少なくとも前記第１の仕切部と第２の仕切部とを含んで構成されて前記ファン装置を前方から覆う前板と、
前記前板と前記後板との間に位置する断熱部とを備え、
前記断熱部は、前記前板に対応して複数に分離可能であることを特徴とする請求項１から６のいずれか一項記載の冷蔵庫。
【請求項８】
前記前板は、前記後板に、その前方から脱着可能となるように弾性を有する係止部を介して取付けられていることを特徴とする請求項７記載の冷蔵庫。
【請求項９】
前記断熱部は、該断熱部の複数に分離される分離面が当接して配置され、この分離面がそれぞれ傾斜状に形成されていることを特徴とする請求項７又は８記載の冷蔵庫。
【発明の詳細な説明】
【技術分野】
【０００１】
本発明は、冷気循環用ファン装置により貯蔵室内の冷気を循環させるようにしたファンクール式の冷蔵庫に関する。
【背景技術】
【０００２】
近年、大容量の家庭用冷蔵庫では、多様なユーザニーズに対応すべく、冷蔵庫本体内の空間を、貯蔵物の貯蔵目的に合わせて複数の貯蔵室に区分けされているものがある。
例えば、冷蔵庫本体の上部に、貯蔵物収容積の大きい冷蔵室と野菜室とが上下に配設され、その下に収容積の比較的小さい製氷室と温度切替室とが幅方向の左右に区分して配設され、さらにその下に冷凍室が配設された形態の冷蔵庫が供されている（例えば、特許文献１参照）。
【先行技術文献】
【特許文献】
【０００３】
【特許文献１】特開２００５−９０９２４号公報
【発明の概要】
【発明が解決しようとする課題】
【０００４】
上記の冷蔵庫において、冷凍室の後方には冷却器が配設され、その上方に冷却器からの冷気を、冷凍室、製氷室及び温度切替室の三室内へ送風するファン装置が取付けられている。また、冷却器及びファン装置は、前記三室の背部に亘る断熱材及びカバーによって覆われている。この断熱材及びカバーによって、冷却器からの冷気が通る風路と前記三室とが仕切られている。
【０００５】
ちなみに、これらを組立てる際には、ファン装置、断熱材及びカバーをユニット化してなるエバカバー組立を前記三室の背部に取付けた後に、製氷室に設けられる製氷機や、製氷室と温度切替室とを区分する仕切壁（区分部）等の冷蔵庫構成部品が組み付けられる。
【０００６】
ところで、上記の構成の場合、ファン装置に故障等が生じて、点検修理、交換のためにファン装置を取外さなければならないときには、エバカバー組立を取外してファン装置を取り出す必要がある。しかし、製氷機や仕切壁等が邪魔となるため、エバカバー組立を取外すためには、組立てるときとは逆の順序、つまり、まず製氷機や仕切壁等を取外してからエバカバー組立を外さなければならない。さらに、ファン装置を点検修理又は交換した後の再度の組立ての際にもまた、製氷機や仕切壁等を取付けなければならない。このため、ファン装置の点検修理、交換時には取外し及び再組立てをしなければならない部品が多く、作業に手間と時間がかかり作業性が良くないという事情があった。
【０００７】
本発明は上記した事情に鑑みてなされたものであり、その目的は、貯蔵室の後方に位置し、仕切部体で覆われたファン装置を備えたものにおいて、製氷機や区分部等の冷蔵庫構成部品を取外すことなくファン装置を取り出すことができ、ファン装置を取り出す際の作業にかかる手間と時間を削減し、作業性を向上させることができる冷蔵庫を提供することにある。
【課題を解決するための手段】
【０００８】
上記した目的を達成するために、本発明の冷蔵庫は、複数の隣接する貯蔵室と、前記貯蔵室の後方に位置する風路と、前記貯蔵室と前記風路を仕切る仕切部体とを有し、前記仕切部体は、少なくとも第１の仕切部と第２の仕切部とが分離可能に構成され、前記複数の隣接する貯蔵室のうち一方の貯蔵室には、前記第１の仕切部の前方に位置して、該第１の仕切部の前方への移動を不可とする冷蔵庫構成部品が配設され、前記第２の仕切部の後方には、前記風路に風を流すファン装置が配設され、前記第２の仕切部は、前記冷蔵庫構成部品と対向しない位置で前記第１の仕切部と分離可能に配置されるとともに、他方の貯蔵室から取外し可能であることを特徴とする。
【発明の効果】
【０００９】
本発明によれば、貯蔵室と風路とを仕切る仕切部体を少なくとも第１の仕切部と第２の仕切部に分離可能に構成し、ファン装置の前方に配置された第２の仕切部は、一方の貯蔵室に配設された冷蔵庫構成部品と対向しない位置で第１の仕切部と分離可能に配置されるとともに、他方の貯蔵室から取外し可能な構成とした。これによれば、一方の貯蔵室に製氷機や仕切壁等の冷蔵庫構成部品が配設されていても、他方の貯蔵室からファン装置の前方に位置する第２の仕切部を取外すことで、ファン装置を露出させることができる。この結果、ファン装置の点検修理、交換等で、ファン装置を取り出させなければならない場合に、取外さなければいけない部品を減らすことができるため、作業にかかる手間と時間を削減し、作業性を向上させることができる。
【図面の簡単な説明】
【００１０】
【図１】本発明の一実施例を示すもので、冷蔵庫の縦断側面図
【図２】エバカバー組立及びその周辺を拡大して示す縦断側面図
【図３】扉を取外した状態で、製氷室、小冷凍室及び冷凍室周辺を示す斜視図
【図４】エバカバー組立の斜視図
【図５】エバカバー組立の分解斜視図
【図６】エバカバー組立の前板及び断熱部を取外した状態で示す図３相当図
【図７】エバカバー組立の前板を取外した状態で示す斜視図
【図８】エバカバー組立の正面図
【図９】エバカバー組立の平面図
【図１０】エバカバー組立の左側面図
【図１１】図８のａ−ａ線に沿う縦断側面図
【図１２】図８のｂ−ｂ線に沿う縦断側面図
【図１３】図８のｃ−ｃ線に沿う横断底面図
【図１４】図８のｄ−ｄ線に沿う縦断側面図
【図１５】図８のｅ−ｅ線に沿う横断平面図
【図１６】図８のｆ−ｆ線に沿う横断平面図
【図１７】図８のｇ−ｇ線に沿う縦断側面図
【図１８】（ａ）、（ｂ）（ｃ）は断熱部の取付け順序を時系列的に示す、断熱部の分離面を拡大して示す断面図
【図１９】比較例を示す図１８相当図
【発明を実施するための形態】
【００１１】
以下、本発明の一実施例について図面を参照しながら説明する。
まず、図１において、冷蔵庫１の冷蔵庫本体２は、薄鋼板製の外箱２ａとプラスチック製の内箱２ｂとの間に発泡断熱材２ｃを充填して形成されている。この冷蔵庫本体２の内部には、その上部に冷蔵温度帯の貯蔵室として冷蔵室３、野菜室４が上下に設けられ、その下方に冷凍温度帯の貯蔵室として、製氷室５（図３参照）と小冷凍室６とが左右に併設
され、最下部に冷凍室７が配設されている。ここで、冷蔵室３及び野菜室４は、同じ冷蔵温度帯の貯蔵室であることから、基本的に合成樹脂により形成された仕切板８によって上下に区画されている。
【００１２】
冷蔵室３背部の下部には、冷蔵用冷却器９が配設され、野菜室４の背部には、前記冷蔵用冷却器９の下方に位置して冷蔵用ファン１０が配設されており、この冷蔵用ファン１０は、冷蔵用冷却器９により冷却された冷気を冷蔵温度帯の貯蔵室である冷蔵室３及び野菜室４内に供給して循環させるようになっている。なお、冷蔵室３の背部には、冷蔵用冷却器９に冷却されて、冷蔵用ファン１０により送り出された冷気が通る冷蔵室用ダクト１１が設けられている。この冷蔵室用ダクト１１には複数の冷蔵用冷気吹出口１２が形成されていて、冷蔵室用ダクト１１内を通る冷気が冷蔵用冷気吹出口１２から冷蔵室３内に吹き出される。このとき、冷蔵室３内に吹き出された冷気は、野菜室４にも供給される。
【００１３】
野菜室４の下方には、図３にも示すように、冷蔵温度帯の貯蔵室と冷凍温度帯の貯蔵室とを大区分するための断熱仕切壁１３が設けられており、その下方が冷凍温度帯の貯蔵室となっている。この大区分された冷凍温度帯の貯蔵室の中段位置には、冷蔵庫本体２の前方に位置し左右方向に通された第１の区分部たる区分板１４が、後述する仕切部体たるエバカバー組立２６と離間して設けられている。これにより、冷凍温度帯の貯蔵室が、製氷室５及び小冷凍室６と、その下方に位置する冷凍室７との複数の貯蔵室に区分けされ、これらが上下に隣接して設けられている。
【００１４】
製氷室５と小冷凍室６とは幅方向に左右に隣接して設けられており、その間にはこれら製氷室５及び小冷凍室６の後方まで延出した形態で、製氷室５と小冷凍室６とを区分けする第２の区分部（冷蔵庫構成部品）たる区分壁１５が設けられている。また、製氷室５には、製氷手段（冷蔵庫構成部品）たる製氷機１６が配設されている。なお、小冷凍室６は、使用者によって設定温度を切り替えることが可能な温度切替室としてもよい。
【００１５】
ちなみに、冷蔵室３は、横開き式の回動可能な扉１８によって開閉され、他の野菜室４、製氷室５、小冷凍室６及び冷凍室７は、それぞれ引出し式の扉１９、２０、２１（製氷室５の引出し式扉は図示しない）によって開閉されるようになっている。なお、冷蔵庫本体２の後底部には機械室２２が形成されていて、ここにコンプレッサ２３が配設されている。このコンプレッサ２３は、冷蔵用冷却器９及び後述する冷凍用冷却器２５とともに冷凍サイクルを構成するものである。冷蔵庫本体２の前部下側には、支持脚２４が取付けられている。
【００１６】
図１及び図２で示すように、冷凍室７の背部には、後述する風路３２内に位置して冷凍用冷却器２５が配設されている。さらに、製氷室５、小冷凍室６及び冷凍室７に亘る後面には、製氷室５及び小冷凍室６と、その下方に位置する冷凍室７とにまたがって、この冷凍用冷却器２５を覆う仕切部体たるエバカバー組立２６が取付けられている。このエバカバー組立２６は、図５に示すように、冷凍用冷却器２５により冷却された冷気を冷凍温度帯の貯蔵室（製氷室５、小冷凍室６及び冷凍室７）内に供給して循環させるファン装置たる冷凍用ファン２７が取付けられた後板２８と、内部にダクト２９（図２参照）が形成された断熱部３０と、これを覆う前板３１とがユニット化されて構成されている。エバカバー組立２６を冷蔵庫本体２内の背面に取付けた際、冷凍用ファン２７は冷凍用冷却器２５の上方であって、区分壁１５や製氷機１６等の冷蔵庫構成部品とほとんど対向しない位置に配置される（図３参照）。このとき、エバカバー組立２６の後板２８と内箱２ｂの内面とで風路３２が形成され、この風路３２は、冷凍用ファン２７を介してダクト２９と連通し、さらに後述する冷凍用冷気吹出口２６ａ〜２６ｄを介して冷凍温度帯の各貯蔵室（製氷室５、小冷凍室６及び冷凍室７）に連通している。これにより、風路３２と冷凍温度帯の各貯蔵室（製氷室５、小冷凍室６及び冷凍室７）は、断熱部３０を有したエバカバー組立２６で仕切られている。
【００１７】
冷凍用冷気吹出口２６ａ〜２６ｄは、エバカバー組立２６の前面に、各貯蔵室（製氷室５、小冷凍室６及び冷凍室７）の位置に対応して設けられている。また、冷凍室７の中段部には、前板３１の下部の一部を下方に延出させた形態で吸込口３３が設けられている。吸込口３３から吸気された空気は、風路３２を通って冷凍用冷却器２５で冷却され後、冷凍用ファン２７によりダクト２９を介して冷凍用冷気吹出口２６ａ〜２６ｄから製氷室５、小冷凍室６及び冷凍室７に吹き出さる。これにより、各貯蔵室は冷却される。
【００１８】
次に、エバカバー組立２６の構成について図４〜図７も参照して詳細を説明する。
図４及び図５で示すように、エバカバー組立２６は、後板２８において開口部を有するファン取付部２８ａに冷凍用ファン２７がねじ固定により設けられた後、発泡スチロール製の断熱部３０が後板２８の内側に嵌め込まれて冷凍用ファン２７が覆われ、さらに後板２８に前板３１が着脱可能に係合された形態でユニット化されている。このとき、前板３１は、エバカバー組立２６を冷蔵庫本体２に取付けた際に、区分壁１５及び製氷機１６、即ち冷蔵庫構成部品の後方に位置する部分を第１の仕切部たる左前板３１ａとし、冷蔵庫構成部品と対向しない他方の部分を第２の仕切部たる右前板３１ｂとして分離可能に構成されている（図５及び図６参照）。同様に、断熱部３０は、前板３１の分離される左右の前板３１ａ、３１ｂに対応して、左断熱部３０ａと右断熱部３０ｂとに分離可能に構成されている。このとき、冷凍用ファン２７は、右前板３１ｂの後方に位置することになる（図６参照）。
【００１９】
左前板３１ａの前方には区分壁１５が配設されていて、この区分壁１５の後方側の端面の一部が左前板３１ａの前面に当接している。さらに、製氷機１６も左前板３１ａの前方に位置している。
ちなみに、エバカバー組立２６を冷蔵庫本体２に組み付け、さらに区分壁１５及び製氷機１６等の冷蔵庫構成部品が組み付けられた後は、これら冷蔵庫構成部品が邪魔となってエバカバー組立２６の左前板３１ａの前方への移動を不可とするため、この左前板３１ａを取外すことができない。しかし、右前板３１ｂの前方には移動の邪魔となる冷蔵庫構成部品が設けられていないため、エバカバー組立２６と、区分壁１５及び製氷機１６等の冷蔵庫構成部品が冷蔵庫本体２に組み付けられた後でも、右前板３１ｂはエバカバー組立２６から取外すことが可能となっている。
【００２０】
また、区分板１４はエバカバー組立２６と離間して設けられているため、上記で取外した右前板３１ｂは、区分板１４と内箱２ｂとの間を通って、冷凍室７から取外すことができる。同様に、右断熱部３０ｂ及び後板２８から取外された冷凍用ファン２７も、区分板１４と内箱２ｂとの間を通って、冷凍室７から取外すことができる。
【００２１】
エバカバー組立２６の後板２８と前板３１とは、前板３１を前方から脱着可能となるように、弾性を有する第１〜第５の係止部３４〜３８を介して取付けられている。次に、それぞれの係止部の詳細について、図８〜図１７も参照して説明する。
図８〜図１０はそれぞれエバカバー組立２６を、前方（図８）、上方（図９）、左方（図１０）から観て示している。また、図１１〜図１７の矢印Ｘは、図６に示す矢印Ｘと対応し、前方から後方へ向かう移動方向を示している。
【００２２】
図１１は、エバカバー組立２６の上部の３箇所に設けられた第１の係止部３４のうち、一つを代表して拡大した断面で示している。第１の係止部３４は、後板２８の上部にその一部を延出させて設けられた係止孔３４ａを有する弾性変形可能な突片３４ｃと、右前板３１ｂ（又は３１ａ）の上部における前記係止孔３４ａと対応する位置に設けられた係止爪３４ｂとから構成されている。右前板３１ｂ（又は３１ａ）を、後板２８の内側に嵌め込んで矢印Ｘ方向に押し込むと、後板２８の突片３４ｃが係止爪３４ｂによって弾性変形しながら上方向に変位し、突片３４ｃが変位復帰することにより、係止孔３４ａと係止爪３４ｂとが係止される。
【００２３】
図１２は、エバカバー組立２６の右上部に設けられた第２の係止部３５を拡大した断面で示している。第２の係止部３５は、後板２８の右上部において、支持部３５ｃを介して前方に延出して設けられた係止爪３５ａと、右前板３１ｂにおける前記係止爪３５ａと対応する位置に設けられた係止受部３５ｂとから構成されている。右前板３１ｂを、後板２８の内側に嵌め込んで矢印Ｘ方向に押し込むと、係止爪３５ａが上方に支持部３５ｃとともに弾性変形しながら変位し、係止受部３５ｂが係止爪３５ａの内側に入って係止される。
【００２４】
図１３は、エバカバー組立２６の中段下寄りの左右２箇所に設けられた第３の係止部３６のうち、一つを代表して拡大した断面で示している。第３の係止部３６は、後板２８の中段下寄りの左右両端において、支持部３６ｃを介して前方に延出して設けられた係止爪３６ａと、右前板３１ｂにおける前記係止爪３６ａと対応する位置に設けられた係止受部３６ｂとから構成されている。右前板３１ｂを、後板２８の内側に嵌め込んで矢印Ｘ方向に押し込むと、係止爪３６ａが支持部３６ｃとともに弾性変形しながら右方（又は左方）に変位し、係止受部３６ｂが係止爪３６ａの内側に入って係止される。
【００２５】
図１４は、エバカバー組立２６の下部の２箇所に設けられた第４の係止部３７のうち、一つを代表して拡大した断面で示している。第４の係止部３７は、後板２８の下部において、支持部３７ｃを介して前方に延出して設けられた係止爪３７ａと、右前板３１ｂにおける前記係止爪３７ａと対応する位置に設けられた係止受部３７ｂとから構成されている。右前板３１ｂを、後板２８の内側に嵌め込んで矢印Ｘ方向に押し込むと、支持部３７ｃとともに係止爪３７ａが弾性変形しながら下方に変位し、係止受部３７ｂが係止爪３７ａの内側に入って係止される。
【００２６】
図１５は、エバカバー組立２６の左縁側の２箇所に設けられた第５の係止部３８のうち、一つを代表して拡大した断面で示している。第５の係止部３８は、後板２８の左縁側の一部を前方に延出させて設けられた係止孔３８ａを有する突片３８ｃと、左前板３１ａの左縁側における前記係止孔３８ａと対応する位置に設けられた係止爪３８ｂとから構成されている。左前板３１ａを、後板２８の内側に嵌め込んで矢印Ｘ方向に押し込むと、後板２８の突片３８ｃが係止爪３８ｂによって弾性変形しながら左方向に変位し、係止孔３８ａと係止爪３８ｂとが係止される。
【００２７】
図１６は、左右の前板３１ａ、３１ｂの上下方向の分離部に設けられた、左右の前板３１ａと３１ｂとを固定するための第１の前板係止部３９のうち、一つを代表して拡大した断面で示している。この第１の前板係止部３９は、左前板３１ａの右縁側に一部が前方に延出させて設けられた前板係止爪３９ａと、右前板３１ｂの左縁部における前記前板係止爪３９ａと対応する位置に設けられた前板係止受部３９ｂとから構成されている。右前板３１ｂを矢印Ｘ方向に押し込むと、延出した前板係止爪３９ａが弾性変形しながら変位し、前板係止受部３９ｂが前板係止爪３９ａの内側に入り込んで係止される。
【００２８】
図１７は、左右の前板３１ａ、３１ｂの左右方向の分離部に設けられた、左右の前板３１ａと３１ｂとを固定するための第２の前板係止部４０のうち、一つを代表して拡大した断面で示している。この第２の前板係止部４０は、左前板３１ａの下縁部の一部を前方に延出させて設けられた前板係止爪４０ａと、右前板３１ｂの左側上縁部における前記前板係止爪４０ａと対応する位置に設けられた前板係止孔４０ｂとから構成されている。右前板３１ｂを矢印Ｘ方向に押し込むと、延出した前板係止爪４０ａが弾性変形しながら上方向に変位し、前板係止孔４０ｂの内側に入り込んで係止される。
【００２９】
さらに、断熱部３０の構成について図１８も参照して説明する。
図７及び図１８で示すように、断熱部３０において、左右の断熱部３０ａ、３０ｂの分離部４１は、左断熱部３０ａの分離面４１ａと右断熱部３０ｂの分離面４１ｂとが当接して配置され、これら分離面４１ａ、４１ｂは傾斜状に形成されているとともに、分離面４１ａと４１ｂとの間には密着性を向上させるためのシール材４２が塗布されている（図１８（ｂ）参照）。分離面を傾斜状に形成することで、それぞれの分離面４１ａ、４１ｂが当接する面積を増大させ密着性を向上させている。また、このとき、左断熱部３０ａの分離面４１ａは前方を向くように形成され、右断熱部３０ｂの分離面４１ｂは後方を向くように形成されている。つまり、常時固定される側の断熱部の分離面４１ａを前方に向かせ、脱着される側の断熱部の分離面４１ｂを後方に向かせて、分離面である傾斜面を対向させて角同士が当たり難いように構成されている。
【００３０】
次に、本実施例におけるエバカバー組立２６の組立て、取外しの手順について説明する。
本実施例において、冷凍温度帯の貯蔵室周辺が工場の生産ライン等で最初に組立てられる際には、まず、冷凍室７の背部に冷凍用冷却器２５が取付けられ、その後、後板２８と、冷凍用ファン２７と、断熱部３０と、前板３１とがユニット化されたエバカバー組立２６が、製氷室５、小冷凍室６及び冷凍室７に亘る後面に、冷凍用冷却器２５を覆うように取付けられる。このとき、エバカバー組立２６の組立ては、左右の前板３１ａ、３１ｂを前板係止部３９、４０によって固定させて前板３１が組立てられてから、冷凍用ファン２７と断熱部３０が取付けられた後板２８の内側に、前板３１が嵌められて押し込められる。これにより、第１〜第５の係止部３４〜３８によって後板２８に前板３１が固定されて、エバカバー組立２６が組立てられる。
【００３１】
次に、製氷室５において製氷機１６が取付けられ、その後、製氷室５と小冷凍室６とを区分けする区分壁１５、及び区分板１４が冷蔵庫本体２に取付けられる。このとき、エバカバー組立２６の左前板３１ａは、区分壁１５や製氷機１６が邪魔となり、取外しが出来なくなっている。
【００３２】
ここで、点検修理、交換のために冷凍用ファン２７を取外さなければならないときには、右前板３１ｂのみを取外して冷凍用ファン２７を露出させる。このとき、後板２８と右前板３１ｂとを係止する第１〜第４の係止部３４〜３７を作業者が変位させるとそれぞれの係止が外される。さらに、左右の前板３１ａ、３１ｂの前板係止部３９、４０の係止を外すと、右前板３１ｂを後板２８及び左前板３１ａから容易に取外すことができる。また、断熱部３０は後板２８と前板３１との間に挟まれているだけのため、右前板３１ｂが取外されると右断熱部３０ｂも簡単に取外すことができ、冷凍用ファン２７が露出される。このようにして、冷凍用ファン２７を露出させ、冷凍用ファン２７を取出して点検修理、交換を行う。
【００３３】
冷凍用ファン２７の点検修理、交換後にエバカバー組立２６を再度組立てるときは、上記とは逆の順序で行われる。即ち、右断熱部３０ｂが後板２８の所定の位置に嵌め込まれて、さらに右前板３１ｂが後板２８に取付けられる。このときも、右断熱部３０ｂが後板２８に嵌め込まれた後、右断熱部３０ｂを押し込むだけで、それぞれの係止部が押し広げられて係止されるため、右前板３１ｂを後板２８に簡単に取付けることができる。
【００３４】
このとき、左右の断熱部３０ａ、３０ｂのそれぞれの分離面４１ａ、４１ｂは、傾斜状をなして当接している。このため、分離面４１ａ、４１ｂが当接する面積が大きく密着性が良好であり、分離面４１ａ、４１ｂの角同士が当たり難く傷が付き難いとともに、斜面にならって取付け易い構成となっている。さらに、本実施例のように、分離面にシール材４２等を塗布して密着性を向上させる場合に、図１９で示す比較例のように、傾斜状でない直角の分離面１００ａ、１００ｂにおいては、組立ての際に分離面１００ａの角が１００ｂに塗布したシール材４２に当たってシール材４２を捲ってしまう虞があった。しかし、図１８で示す本実施例のように、分離面４１ａ、４１ｂが傾斜状であれば、シール材４２を捲ってしまうことを防止することができる。なお、シール材４２は必須ではなく、必要に応じて適宜設ければよい。
【００３５】
このような本実施例においては、次のような作用、効果を得ることができる
本実施例の構成によれば、貯蔵室（製氷室５、小冷凍室６及び冷凍室７）と風路３２とを仕切るエバカバー組立２６は、区分壁１５や製氷機１６等の冷蔵庫構成部品の後方に位置する部分を左前板３１ａとし、冷蔵庫構成部品と対向しない他方の部分を右前板３１ｂとして分離可能に構成されている。さらに、左右の前板３１ａ、３１ｂに対応して断熱部３０も左右の断熱部３０ａ、３０ｂに分離可能に構成され、右前板３１ｂ及び右断熱部３０ｂは冷凍室７から取外し可能な構成とした。これによれば、区分壁１５や製氷機１６等の冷蔵庫構成部品が組立てられた後に、冷凍室７側から冷凍用ファン２７の前方に位置する右前板３１ｂ及び右断熱部３０ｂを取外すことで、冷凍用ファン２７を露出させることができる。この結果、冷凍用ファン２７の点検修理、交換等で、冷凍用ファン２７を取り出させなければならない場合に、取外さなければいけない部品を減らすことができるため、作業にかかる手間と時間を削減し、作業性を向上させることができる。
【００３６】
この場合、冷凍用ファン２７は完全に右前板３１ｂの後方に位置する必要はなく、左前板３１ａの後方に一部重なっていても良い。つまり、右前板３１ｂを取外したときに、冷凍用ファン２７は脱着やメンテナンス等ができる位置にありさえすれば良い。
【００３７】
そして、本実施例では、冷蔵庫本体２の前方に位置して区分板１４がエバカバー組立２６と離間して設けられている。これによれば、右前板３１ｂ及び右断熱部３０ｂを冷凍室７側から取外す際に、区分板１４が邪魔にならないため、右前板３１ｂ及び右断熱部３０ｂを容易に取外すことができる。なお、区分板１４は、右前板３１ｂ及び右断熱部３０ｂを冷凍室７側から取外す際に邪魔にならない位置にあれば良い。また、区分板１４は前後方向に長いものであっても、取外して右前板３１ｂ及び右断熱部３０ｂが通過するのに邪魔にならないものであれば良い。
【００３８】
さらに、本実施例の構成によれば、弾性を有する第１〜第４の係止部３４〜３７及び第１、第２の前板係止部３９、４０により、右前板３１ｂが後板２８及び左前板３１ａに取付けられている。これによれば、右前板３１ｂを押し込む、或いは、それぞれの係止部を変位させるだけで右前板３１ｂを容易に脱着することができる。このため、右前板３１ｂの取外し、取付けの際にも工具を使う必要がなく、冷凍室７の後部の狭い中でも容易に右前板３１ｂの脱着作業を行うことができるため、作業性を大幅に改善することができる。
【００３９】
しかも、本実施例では、断熱部３０における左右の断熱部３０ａ、３０ｂの分離面４１ａ、４１ｂは当接して配置され、これら分離面４１ａ、４１ｂは傾斜状に形成され、この分離面を対向させて角同士が当たり難いように構成されている。これによれば、それぞれの分離面４１ａ、４１ｂが当接する面積を増大させて密着性が向上するだけでなく、取付けの際に、分離面４１ａ、４１ｂの角同士が当たって傷が付くのを防止することができる。さらに、分離面４１ａ、４１ｂの角同士が当たり難いため、分離面にシール材４２等を塗布した場合に、分離面４１ｂの角によってシール材が捲られるのを防止することができる。
【００４０】
なお、製氷室５、小冷凍室６、冷凍室７等の各貯蔵室の位置や配置、数等は、本発明の要旨を逸脱しない範囲で適宜変更することができる。
また、本発明の適用は、一般家庭用の冷蔵庫に限定されず、業務用の冷蔵庫若しくは冷凍庫にも適用可能である。
【符号の説明】
【００４１】
図面中、１は冷蔵庫、５は製氷室（貯蔵室）、６は小冷凍室（貯蔵室）、７は冷凍室（貯蔵室）、１４は区分板（第１の区分部）、１５は区分壁（第２の区分部）、１６は製氷機（製氷手段）、２５は冷凍用冷却器（冷却器）、２６はエバカバー組立（仕切部体）、２７は冷凍用ファン（ファン装置）、２８は後板、３０は断熱部、３１は前板、３１ａは左前板（第１の仕切部）、３１ｂは右前板（第２の仕切部）、３２は風路、３４〜３８は係止部、４１ａ、４１ｂは分離面を示す。
【図１】
2011158131.tif 000003
【図２】
2011158131.tif 000004
【図３】
2011158131.tif 000005
【図４】
2011158131.tif 000006
【図５】
2011158131.tif 000007
【図６】
2011158131.tif 000008
【図７】
2011158131.tif 000009
【図８】
2011158131.tif 000010
【図９】
2011158131.tif 000011
【図１０】
2011158131.tif 000012
【図１１】
2011158131.tif 000013
【図１２】
2011158131.tif 000014
【図１３】
2011158131.tif 000015
【図１４】
2011158131.tif 000016
【図１５】
2011158131.tif 000017
【図１６】
2011158131.tif 000018
【図１７】
2011158131.tif 000019
【図１８】
2011158131.tif 000020
【図１９】
2011158131.tif 000021